(57)【要約】【課題】アンテナ配置に依存することなく、複数の受信アンテナを有する受信機での受信特性を評価すること。【解決手段】Ｍ本の送信アンテナを有する送信機から送信された信号をＮ本の受信アンテナで受信する受信機の受信特性を評価するＭＩＭＯ評価装置１００であって、無線受信部１０２は、Ｍ本の送信アンテナからそれぞれ送信された信号を、１本の評価アンテナ１０１で受信し、データ演算部１０３は、受信された信号に基づいて、Ｍ本の送信アンテナそれぞれと評価アンテナとの間のＭ個のチャネル推定値を推定し、算出部１０６は、Ｍ個のチャネル推定値、および、Ｎ本の受信アンテナの相関行列を用いて、Ｍ本の送信アンテナとＮ本の受信アンテナとの間のチャネル行列を算出し、評価部１０７は、チャネル行列を用いて、受信特性を評価する。【選択図】図１
2011103583.tif 000002
【特許請求の範囲】
【請求項１】
Ｍ本の送信アンテナを有する送信機から送信された信号をＮ本の受信アンテナで受信する受信機の受信特性を評価するＭＩＭＯ評価装置であって、
前記Ｍ本の送信アンテナからそれぞれ送信された信号を、１本の評価アンテナで受信する受信手段と、
受信された信号に基づいて、前記Ｍ本の送信アンテナそれぞれと前記評価アンテナとの間のＭ個のチャネル推定値を推定する推定手段と、
前記Ｍ個のチャネル推定値、および、前記Ｎ本の受信アンテナの相関行列を用いて、前記Ｍ本の送信アンテナと前記Ｎ本の受信アンテナとの間のチャネル行列を算出する算出手段と、
前記チャネル行列を用いて、前記受信特性を評価する評価手段と、
を具備するＭＩＭＯ評価装置。
【請求項２】
Ｍ本の送信アンテナを有する送信機から送信された信号をＮ本の受信アンテナで受信する受信機の受信特性を評価するＭＩＭＯ評価方法であって、
前記Ｍ本の送信アンテナからそれぞれ送信された信号を、１本の評価アンテナで受信する受信ステップと、
受信された信号に基づいて、前記Ｍ本の送信アンテナそれぞれと前記評価アンテナとの間のＭ個のチャネル推定値を推定する推定ステップと、
前記Ｍ個のチャネル推定値、および、前記Ｎ本の受信アンテナの相関行列を用いて、前記Ｍ本の送信アンテナと前記Ｎ本の受信アンテナとの間のチャネル行列を算出する算出ステップと、
前記チャネル行列を用いて、前記受信特性を評価する評価ステップと、
を具備するＭＩＭＯ評価方法。
【発明の詳細な説明】
【技術分野】
【０００１】
本発明は、ＭＩＭＯ評価装置及びＭＩＭＯ評価方法の送信方法に関する。
【背景技術】
【０００２】
近年、無線通信の分野の発展はめざましく、更なる伝送速度の高速化に向け研究が続けられている。伝送速度の高速化を実現する技術の一つとして、ＭＩＭＯ（Multiple Input Multiple Output）伝送技術がある。
【０００３】
ＭＩＭＯ伝送は、複数の送信アンテナと複数の受信アンテナを用いて、同一周波数上で複数のストリームを同時に伝送する通信方式である。ＭＩＭＯ伝送では、受信機（例えば携帯端末）は、送信機（例えば基地局）から同一周波数上で送信された複数のストリームを分離する処理を行う。
【０００４】
このとき、伝搬路（チャネル）条件により、受信機の受信特性が変化する。そのため、送信機と受信機との間でデータ通信が行われる各エリア（つまり、ＭＩＭＯ通信サービスが行われるエリア）での受信端での到来信号の特性を把握する必要がある。ここで、ＭＩＭＯ伝送では、受信端における到来信号の電界強度の測定に加え、受信端での通信容量の限界値を測定することで、受信機における受信特性を把握する必要がある。
【０００５】
そこで、受信機における受信特性を評価するために、ＭＩＭＯ通信サービスが行われる各エリアでの最大スループット（例えば、シャノンの通信路容量等の理想状態における伝送品質）を測定することが考えられる。最大スループット（シャノンの通信路容量）は、受信信号の帯域幅（ＢＷ：Band Width）、ＳＮ比（ＳＮＲ：Signal to Noise Ratio）、及び、複数の送信アンテナと複数の受信アンテナとの間のチャネル推定値を示すチャネル行列（ＭＩＭＯチャネル行列）を用いて算出される。
【０００６】
例えば、ＭＩＭＯ通信システムにおける受信機の受信特性（最大スループット）を評価するために、複数の受信アンテナを有する携帯端末が、複数の送信アンテナから送信された信号を受信して、チャネル行列を得ることが提案されている（例えば、特許文献１参照）。
【先行技術文献】
【特許文献】
【０００７】
【特許文献１】特開２００９−１８２６７９号公報
【発明の概要】
【発明が解決しようとする課題】
【０００８】
しかしながら、携帯端末は、チャネル環境（すなわち、チャネル推定値の測定環境）に応じて、自端末に割り当てられるデータ領域を可変に制御される。そのため、上記受信特性を評価する携帯端末以外にも他の携帯端末が同一エリア内に存在する場合等には、受信特性を評価する携帯端末のデータ領域が変更されることがあり得る。よって、得られる受信特性（最大スループット）は、受信特性を評価する携帯端末に割り当てられるデータ領域に応じて変化してしまう可能性がある。
【０００９】
また、携帯端末のアンテナは携帯端末のデザイン等も考慮して配置位置が決定されるため、受信特性（最大スループット）を評価するための理想的な位置に受信アンテナを配置できない制約がある。つまり、ＭＩＭＯ伝送における携帯端末（受信機）の受信特性を評価する際、携帯端末のアンテナ配置は携帯端末の種類によって異なり、得られる受信特性はその携帯端末固有の値となってしまう。したがって、携帯端末自体で受信特性を評価しようとすると、携帯端末の種類の数だけ評価を行わなければならず、評価作業は煩雑となる。
【００１０】
そこで、複数のアンテナを有する、受信特性を評価するための専用装置であるＭＩＭＯ評価装置を用いることが考えられる。これにより、ＭＩＭＯ伝送の受信特性（最大スループット）を理想的なアンテナ配置で評価することが可能となる。しかしながら、得られる受信特性（最大スループット）は、複数の受信アンテナの物理的な構成（例えば、アンテナ間の距離又は送信機に対するアンテナの向き等）に依存した結果となる。つまり、上記ＭＩＭＯ評価装置では、アンテナの物理的な構成に依存した受信特性しか得られなくなってしまう。
【００１１】
本発明の目的は、アンテナの配置に依存することなく、複数の受信アンテナを有する受信機の受信特性を測定することができるＭＩＭＯ評価装置、及び、ＭＩＭＯ評価方法を提供することである。
【課題を解決するための手段】
【００１２】
本発明のＭＩＭＯ評価装置は、Ｍ本の送信アンテナを有する送信機から送信された信号をＮ本の受信アンテナで受信する受信機の受信特性を評価するＭＩＭＯ評価装置であって、前記Ｍ本の送信アンテナからそれぞれ送信された信号を、１本の評価アンテナで受信する受信手段と、受信された信号に基づいて、前記Ｍ本の送信アンテナそれぞれと前記評価アンテナとの間のＭ個のチャネル推定値を推定する推定手段と、前記Ｍ個のチャネル推定値、および、前記Ｎ本の受信アンテナの相関行列を用いて、前記Ｍ本の送信アンテナと前記Ｎ本の受信アンテナとの間のチャネル行列を算出する算出手段と、前記チャネル行列を用いて、前記受信特性を評価する評価手段と、を具備する構成を採る。
【００１３】
本発明のＭＩＭＯ評価方法は、Ｍ本の送信アンテナを有する送信機から送信された信号をＮ本の受信アンテナで受信する受信機の受信特性を評価するＭＩＭＯ評価方法であって、前記Ｍ本の送信アンテナからそれぞれ送信された信号を、１本の評価アンテナで受信する受信ステップと、受信された信号に基づいて、前記Ｍ本の送信アンテナそれぞれと前記評価アンテナとの間のＭ個のチャネル推定値を推定する推定ステップと、前記Ｍ個のチャネル推定値、および、前記Ｎ本の受信アンテナの相関行列を用いて、前記Ｍ本の送信アンテナと前記Ｎ本の受信アンテナとの間のチャネル行列を算出する算出ステップと、前記チャネル行列を用いて、前記受信特性を評価する評価ステップと、を具備する。
【発明の効果】
【００１４】
本発明によれば、アンテナの配置に依存することなく、複数の受信アンテナを有する受信機での受信特性を評価することができる。
【図面の簡単な説明】
【００１５】
【図１】本発明の一実施の形態に係るＭＩＭＯ評価装置の構成を示すブロック図
【図２】本発明の一実施の形態に係るパイロット信号の配置例を示す図
【図３】本発明の一実施の形態に係るＭＩＭＯ通信システムを示す図
【発明を実施するための形態】
【００１６】
以下、本発明の実施の形態について図面を参照して詳細に説明する。
【００１７】
図１は、本実施の形態に係るＭＩＭＯ評価装置の構成を示すブロック図である。なお、以下の説明では、ＭＩＭＯ評価装置は、Ｍ本の送信アンテナを有する送信機（基地局）から送信された信号をＮ本の受信アンテナで受信する受信機（携帯端末）の受信特性（最大スループット）を評価する。
【００１８】
図１に示すＭＩＭＯ評価装置１００は１本のアンテナ１０１（評価アンテナ）を有する。ＭＩＭＯ評価装置１００において、無線受信部１０２は、送信機（基地局）のＭ本の送信アンテナから送信された信号をアンテナ１０１を介して受信し、受信信号に対しダウンコンバート、Ａ／Ｄ変換等の受信処理を行う。そして、無線受信部１０２は、受信処理後の受信信号をデータ演算部１０３に出力する。なお、受信信号には、送信機（基地局）の各送信アンテナから送信されたパイロット信号（Pilot signal、又は参照信号（Reference Signal）と呼ばれることもある）（送受信側で既知である信号）及びデータ信号を含む。
【００１９】
データ演算部１０３は、無線受信部１０２から入力される受信信号を用いて、チャネル推定値、受信信号の帯域幅（ＢＷ）及びＳ／Ｎ比（ＳＮＲ）を求める。具体的には、データ演算部１０３は、受信信号に含まれるパイロット信号に基づいて、送信機（基地局）の各送信アンテナとアンテナ１０１（評価アンテナ）との間のチャネル推定値を推定する。つまり、データ演算部１０３は、送信機（基地局）のＭ本の送信アンテナそれぞれとアンテナ１０１との間のＭ個のチャネル推定値、すなわち、（Ｍ×１）のチャネル推定値を推定する。また、データ演算部１０３は、受信信号を復調することにより、受信信号の帯域幅及びＳＮＲを求める。そして、データ演算部１０３は、求めたチャネル推定値、受信信号の帯域幅及びＳＮＲをデータ統合処理部１０５の算出部１０６に出力する。
【００２０】
情報取得部１０４には、ＧＰＳデータ又は車速パルス等から得られる、ＭＩＭＯ評価装置１００の位置（エリア）を示す情報又はＭＩＭＯ評価装置１００の位置の進み具合を示す情報等を含む位置情報を、外部の処理部（図示せず）から取得する。また、情報取得部１０４は、上記位置情報に含まれる情報が計測された時刻を示す時間情報を、外部の処理部（図示せず）から取得する。そして、情報取得部１０４は、取得した位置情報を、データ統合処理部１０５の統合部１０８に出力する。なお、情報取得部１０４は、内部にＧＰＳ処理機能を有し、そのＧＰＳ処理機能を用いて位置情報を取得してもよい。
【００２１】
データ統合処理部１０５は、算出部１０６、評価部１０７及び統合部１０８を備えている。また、データ統合処理部１０５は、評価対象である受信機のＮ本の受信アンテナ構成固有の相関行列（受信アンテナ構成をモデル化した行列）を保持している。具体的には、受信アンテナの相関行列は、受信アンテナ構成固有の値（例えば、アンテナ間隔等）を定義して、受信アンテナが受信する信号（到来波）の到来角度又は信号（到来波）の角度広がり（角度スプレッド）を定数化した行列である。
【００２２】
算出部１０６は、データ演算部１０３から入力されるＭ個のチャネル推定値、および、Ｎ本の受信アンテナの相関行列を用いて、Ｍ本の送信アンテナとＮ本の受信アンテナとの間のチャネル行列を算出する。具体的には、算出部１０６は、まず、送信機（基地局）のＭ本の送信アンテナとアンテナ１０１との間の（Ｍ×１）のチャネル推定値を行方向にＮ個並べて、（Ｍ×Ｎ）のチャネル推定値を生成する。そして、算出部１０６は、（Ｎ×Ｎ）の相関行列と、生成した（Ｍ×Ｎ）のチャネル推定値とを乗算して、（Ｍ×Ｎ）のチャネル行列を算出する。そして、算出部１０６は、受信信号の帯域幅、ＳＮＲ、及び、算出したチャネル行列を評価部１０７に出力する。
【００２３】
評価部１０７は、算出部１０６から入力される受信信号の帯域幅、ＳＮＲ、及び、チャネル行列を用いて、Ｎ本の受信アンテナを有する受信機の受信特性（最大スループット）を評価する。そして、評価部１０７は、得られた受信特性（最大スループット）を含む情報を、統合部１０８に出力する。
【００２４】
統合部１０８は、評価部１０７から入力される受信特性（最大スループット）と、情報取得部１０４から入力される情報（時間情報、位置情報等）とを統合する。すなわち、統合部１０８では、受信特性（最大スループット）と、その受信特性を評価した時刻又は位置（エリア）とを関連付ける。そして、統合部１０８は、統合したデータを、蓄積部１０９及び表示部１１０に出力する。
【００２５】
蓄積部１０９は、統合部１０８から入力されるデータを蓄積する。
【００２６】
表示部１１０は、統合部１０８から入力されるデータ、又は、蓄積部１０９から入力されるデータ（過去のデータ）を表示する。例えば、表示部１１０は、地図データ（図示せず）に基づいて、最大スループットを評価した各エリア上に、その最大スループットの大きさを示すマークをプロットして表示してもよい。または、表示部１１０は、ある特定のエリアにおける最大スループットの大きさを、異なる送信機（基地局）毎に、例えば棒グラフ又は折れ線グラフ等で表示してもよい。
【００２７】
次に、ＭＩＭＯ評価装置１００の動作について詳細に説明する。
【００２８】
以下の説明では、送信機（基地局）から送信されるパイロット信号は、ストリーム毎に独立して送信される。例えば、図２は、３ＧＰＰ  ＬＴＥ（3rd Generation Partnership Project Long Term Evolution）において最大のフォーマットである（４×４）のＭＩＭＯ通信を行う際のパイロット信号配置例を示す。図２に示す‘１’、‘２’、‘３’、‘４’は、４本の送信アンテナ１〜４のそれぞれから送信されるパイロット信号を表す。よって、受信機の各受信アンテナでは、送信機（基地局）からの複数のストリームのチャネル推定を個別に行うことが可能となる。
【００２９】
また、以下の説明では、図３に示すＭＩＭＯ通信システムにおいて、送信機（基地局）の送信アンテナ本数Ｍを２本（アンテナ＃Ｔ１，＃Ｔ２）とし、受信機（携帯端末）の受信アンテナ本数Ｎを２本（アンテナ＃Ｒ１，＃Ｒ２）とする。つまり、本実施の形態に係るＭＩＭＯ評価装置１００は、（２×２）のＭＩＭＯ通信を行う際の受信機（携帯端末）の受信特性（最大スループット）を評価する。なお、図３では、ＭＩＭＯ評価装置１００のアンテナ１０１は、受信機の受信アンテナ＃Ｒ１に対応する。
【００３０】
また、図３において、Ｓ１（ｔ）は、送信機（基地局）の送信アンテナ＃Ｔ１から送信される信号であり、Ｓ２（ｔ）は、送信機（基地局）の送信アンテナ＃Ｔ２から送信される信号である。また、図３において、ｈ１１（ｆ）は、送信アンテナ＃Ｔ１の信号Ｓ１（ｔ）が受信アンテナ＃Ｒ１（アンテナ１０１）で受信される場合のチャネル推定値である。また、ｈ１２（ｆ）は、送信アンテナ＃Ｔ２の信号Ｓ２（ｔ）が受信アンテナ＃Ｒ１（アンテナ１０１）で受信される場合のチャネル推定値である。また、図３において、ｈ２１（ｆ）は、送信アンテナ＃Ｔ１の信号Ｓ１（ｔ）が受信アンテナ＃Ｒ２で受信される場合のチャネル推定値であり、ｈ２２（ｆ）は、送信アンテナ＃Ｔ２の信号Ｓ２（ｔ）が携帯端末の受信アンテナ＃Ｒ２で受信される場合のチャネル推定値である。
【００３１】
よって、図１に示すＭＩＭＯ評価装置１００のデータ演算部１０３は、送信機（基地局）の各送信アンテナ＃Ｔ１，＃Ｔ２からそれぞれ送信されるパイロット信号に基づいて、２（＝Ｍ）個のチャネル推定値（送信アンテナ＃Ｔ１とアンテナ１０１との間のチャネル推定値ｈ１１（ｆ）、及び、送信アンテナ＃Ｔ２とアンテナ１０１との間のチャネル推定値ｈ１２（ｆ））を推定する。
【００３２】
次いで、データ統合処理部１０５の算出部１０６は、データ演算部１０３で得られた、（２×１）のチャネル推定値［ｈ１１（ｆ）  ｈ１２（ｆ）］を、評価対象受信機の受信アンテナ本数分（図３ではＮ＝２本）だけ行方向に並べて、（２×２）のチャネル推定値を生成する。つまり、算出部１０６は、データ演算部１０３で得られた（Ｍ×１）のチャネル推定値をＮ個並べて、（Ｍ×Ｎ）のチャネル推定値を生成する。
【００３３】
次いで、算出部１０６は、Ｎ（＝２）本の受信アンテナの（Ｎ×Ｎ）の相関行列、及び、生成した（Ｍ×Ｎ）のチャネル推定（ここでは、（２×２）の行列）を用いて、次式（１）に従って、Ｍ（＝２）本の送信アンテナとＮ（＝２）本の受信アンテナとの間の（Ｍ×Ｎ）のチャネル行列（ここでは、（２×２）の行列）を算出する。
【数１】
2011103583.tif 000003
【００３４】
式（１）において、相関行列に含まれるρａ（０）及びρａ（Δｘ）は、複素空間相関係数を示し、Δｘは受信アンテナ間の間隔を示す。また、ρａ（０）＝１であるのに対して、ρａ（Δｘ）は次式（２）で表される。
【数２】
2011103583.tif 000004
【００３５】
式（２）において、θは複数の受信アンテナが配置されるベースラインに対する受信信号の到来角度を示し、Ω（θ）は角度空間プロファイルを示す。つまり、複素空間相関係数ρａ（Δｘ）は、受信アンテナの位置の変移による素波（受信信号）の位相の変化を考慮して、角度空間上をプロファイル（Ω（θ））で重み付けした積分値である。
【００３６】
ここで、送受信間の伝搬路（チャネル）において想定される受信レベル変動の分布によって、複素空間相関係数ρａの導出方法は異なる。以下、複素空間相関係数ρａの導出の一例として、受信レベル変動の分布がレイリー分布（導出例１）又は角度分布（導出例２）である場合について説明する。ただし、受信機では、ベースライン上に全ての受信アンテナが配置されているとする（つまり、受信機のアンテナ構成はリニアアレーであるとする）。
【００３７】
［導出例１：レイリー分布］
レイリー分布は、見通し波のような卓越した波が存在しない場合等のチャネル環境（以下、レイリー環境という）をモデル化している。レイリー環境における角度空間プロファイルΩ（θ）は、次式（３）のようになる。ただし、ここでは、受信アンテナはオムニ指向性を有し、受信アンテナ間は直交するものとする。
【数３】
2011103583.tif 000005
【００３８】
ここで、ＰＲは受信電力を示す。よって、レイリー環境における複素空間相関係数ρａは、次式（４）で表される。
【数４】
2011103583.tif 000006
【００３９】
つまり、レイリー環境であることを条件とすれば、上式（４）に示すように、相関行列に含まれる複素空間相関係数ρａの理論値は、受信機の複数の受信アンテナの位置関係（Δｘ）によって導出することができる。
【００４０】
［導出例２：角度分布］
角度分布は、受信アンテナが指向性を有する場合、又は、送信機（基地局）が送信する信号の到来波が一様に分布していない場合等のチャネル環境をモデル化している。角度分布を用いる際の角度空間プロファイルΩ（θ）は、次式（５）のようになる。
【数５】
2011103583.tif 000007
【００４１】
ここで、θ０は、送信機からの電波の受信アンテナへの到来角度を示し、σθは角度スプレッドを示す。よって、角度分布を用いる際の複素空間相関係数ρａは、次式（６）で表される。
【数６】
2011103583.tif 000008
【００４２】
上式（６）に示すように、角度分布を用いる際には、受信アンテナ間の間隔Δｘだけでなく、到来角度θ０及び角度スプレッドσθも既知である必要がある（式（４）に示すレイリー分布では、到来角度θ０及び角度スプレッドσθは既知である必要が無い）。
【００４３】
以上、複素空間相関係数ρａの導出例について説明した。
【００４４】
これにより、算出部１０６は、式（１）に示すように、アンテナ１０１のみで受信した受信信号に基づいて得られたチャネル推定値［ｈ１１（ｆ）  ｈ１２（ｆ）］（図３に示す実線矢印）を用いて、ｈ２１（ｆ）＝ρａ（Δｘ）ｈ１１（ｆ）、及び、ｈ２２（ｆ）＝ρａ（Δｘ）ｈ１２（ｆ））（図３に示す点線矢印）を算出することができる。換言すると、算出部１０６は、図３に示す送信アンテナ＃Ｔ１，＃Ｔ２それぞれと受信アンテナ＃Ｒ２との間のチャネル推定値［ｈ２１（ｆ）  ｈ２２（ｆ）］を、実測せずに得ることができる。これにより、ＭＩＭＯ評価装置１００は、１本のアンテナ１０１（評価アンテナ）のみを用いるだけで、２（＝Ｍ）本の送信アンテナと２（＝Ｎ）本の受信アンテナとの間のチャネル推定値を示す（２×２）のチャネル行列を算出することができる。
【００４５】
そして、評価部１０７は、受信信号の帯域幅、ＳＮＲ、及び、式（１）に示すチャネル行列を用いて、受信特性（最大スループット）を評価する。
【００４６】
このように、ＭＩＭＯ評価装置１００は、複数Ｍ本の送信アンテナから送信された信号を１本の受信アンテナで受信する。つまり、ＭＩＭＯ評価装置１００は、１本のアンテナ１０１を用いることで、受信アンテナの配置（アンテナ間の距離又は送信機に対するアンテナの向き等）に依らず、外部環境（送受信間のチャネル環境）のみに依存するチャネル推定値を推定できる。また、受信アンテナ構成をモデル化（定数化）した相関行列は、送受信間のチャネル環境に依存せず、受信アンテナ間のみに依存する行列である。
【００４７】
すなわち、ＭＩＭＯ評価装置１００は、式（１）に示すように、Ｍ本の送信アンテナとＮ本の受信アンテナとの間のチャネル行列（式（１）ではＭ＝Ｎ＝２）を、受信アンテナ構成のみに依存する相関行列と、送受信間のチャネル環境のみに依存するチャネル推定値とを用いて算出する。つまり、ＭＩＭＯ評価装置１００では、アンテナ構成に依存する相関行列と、チャネル環境に依存するチャネル推定値とを個別に求めることで、Ｍ本の送信アンテナとＮ本の受信アンテナとの間の受信特性（最大スループット）を評価することができる。すなわち、ＭＩＭＯ評価装置１００は、受信機の受信アンテナ構成に依らず、ＭＩＭＯ性能を示す受信特性（最大スループット）を評価することができる。
【００４８】
また、ＭＩＭＯ評価装置１００で推定（測定）されるチャネル推定値は受信アンテナの配置に依存しないため、チャネル推定値の推定（測定）の再現性が高い。よって、ＭＩＭＯ評価装置１００は、送受信間のチャネル環境のみに依存するチャネル推定値をそのまま利用しつつ、受信アンテナの相関行列の定義を変えるだけで、様々な受信アンテナ構成の受信機における受信特性（最大スループット）を評価することができる。つまり、ＭＩＭＯ評価装置１００では、様々な受信アンテナ構成を有する受信機毎のチャネル推定値を実測することなく、様々な受信アンテナ構成を有する受信機の受信特性（最大スループット）を評価することができる。
【００４９】
このようにして、本実施の形態によれば、アンテナの配置に依存することなく、受信機での受信特性を評価することができる。
【００５０】
さらに、本実施の形態によれば、ＭＩＭＯ評価装置１００が有する１本のアンテナのみでチャネル推定値を推定するため、受信特性の評価処理を行う回路（ハードウェアリソース）は１本のアンテナ分だけでよい。つまり、複数の受信アンテナを有するＭＩＭＯ評価装置では、受信特性の評価処理を行う回路が受信アンテナ数だけ必要となるのに対し、本実施の形態に係るＭＩＭＯ評価装置では、受信特性の評価処理を行う回路を最小限に抑えることができる。これにより、ＭＩＭＯ評価装置１００での消費電力を抑えることができ、さらに、ＭＩＭＯ評価装置１００に掛かるコストを抑えることができる。
【００５１】
なお、本実施の形態では、理想の受信機（理想受信機）を想定した理論値を用いて、チャネル行列を算出する場合について説明した。しかし、さらに、実際の受信機（実用受信機）においてチャネル行列を実測してもよい。そして、実測したチャネル行列を用いて得られる最大スループットと、理論値から算出されたチャネル行列を用いて得られる最大スループットとを比較することにより、理想受信機に対する実用受信機での劣化量を把握することが可能となる。
【００５２】
また、本実施の形態では、受信アンテナの相関行列として、レイリー分布又は角度分布に基づく相関行列を用いる場合について説明したが、受信アンテナの相関行列はこれらに限定されない。例えば、受信アンテナの相関行列に含まれる複素空間相関係数を実測により予め求めてもよい。
【産業上の利用可能性】
【００５３】
本発明のＭＩＭＯ評価装置、及び、ＭＩＭＯ評価方法は、アンテナ配置に依存することなく、受信機での受信特性を評価するものとして有用である。
【符号の説明】
【００５４】
１００  ＭＩＭＯ評価装置
１０１  アンテナ
１０２  無線受信部
１０３  データ演算部
１０４  情報取得部
１０５  データ統合処理部
１０６  算出部
１０７  評価部
１０８  統合部
１０９  蓄積部
１１０  表示部
【図１】
2011103583.tif 000009
【図２】
2011103583.tif 000010
【図３】
2011103583.tif 000011